(57)【要約】【課題】  天井直付け用の既設の電球ねじ込みソケットを利用して、天井直付け用照明機器を電力線搬送通信システムに接続するための電力線搬送通信用アダプタを提供する。【解決手段】  本発明に係る電力線搬送通信用アダプタ１は、商用電源に接続した電力線に重畳する搬送信号によって負荷である照明機器を監視、制御する電力線搬送通信システムに対して照明機器を接続するための電力線搬送通信用アダプタであって、照明機器が口金を備えた電球２０であり、電力線搬送通信システムが電球ねじ込みソケット１０を備えている場合に、電球２０の口金と電球ねじ込みソケット１０とに着脱自在に係合し電気的接続可能な着脱部（１ａ、１ｂ）を備えるとともに、内部に電力線搬送通信用の子機の機能を備えた構成である。【選択図】図１
2005210405.tif 000002
【特許請求の範囲】
【請求項１】
商用電源に接続した電力線に重畳する搬送信号によって負荷である照明機器を監視、制御する電力線搬送通信システムに対して前記照明機器を接続するための電力線搬送通信用アダプタであって、
前記照明機器が口金を備えた発光体であり、前記電力線搬送通信システムが発光体ねじ込みソケットを備えている場合に、
前記発光体の口金と前記発光体ねじ込みソケットとに着脱自在に係合し電気的接続可能な着脱部を備えるとともに、内部に電力線搬送通信用の子機の機能を備えたことを特徴とする電力線搬送通信用アダプタ。
【請求項２】
前記着脱部は、前記発光体ねじ込みソケットと着脱自在に係合し電気的接続可能な口金及び端子を備えた第１接続部と、前記発光体の口金と着脱自在に係合し電気的接続可能な受金及び端子を備えた第２接続部とを備え、
前記電力線搬送通信用の子機の機能を前記第１接続部に設けた請求項１に記載の電力線搬送通信用アダプタ。
【請求項３】
前記着脱部は、前記発光体ねじ込みソケットと着脱自在に係合し電気的接続可能な口金と、該口金の径より小さい径であり前記口金の内側に設けられ前記発光体の口金と着脱自在に係合し電気的接続可能な受金と、前記発光体の口金と前記発光体ねじ込みソケットとの間を電気的接続可能に結ぶ端子とを備え、
前記発光体ねじ込みソケットの外周側に対して前記口金の先端部及び前記ソケットの先端部から延設され内部に前記電力線搬送通信用の子機の機能を有した外周部を設けた請求項１に記載の電力線搬送通信用アダプタ。
【発明の詳細な説明】
【技術分野】
【０００１】
本発明は、商用電源に接続した電力線に重畳した搬送信号によって照明機器等の負荷を監視、制御する電力線搬送通信システムに関し、詳しくは照明機器を電力線搬送通信システムに接続するための電力線搬送通信用アダプタに関するものである。
【背景技術】
【０００２】
従来の電力線搬送通信システムとしては、例えば図５（ａ）に示すような、制御部（不図示）を備えた親機５０とこの親機５０により制御される子機１００を商用電源Ｐに接続した電力線Ｌに接続し、子機１００に負荷２００を接続して、電力線Ｌに搬送信号を重畳させて親機５０と子機１００との間で制御のためのデータ（以降、電力線搬送通信内容と称する。）の授受を行い負荷２００を制御するシステムを挙げることができる。
【０００３】
ここで、従来から、子機１００としてシーリングアダプタ子機１００（１００−ａ）を利用してた電力線搬送通信システム構成が例えば特許文献１に開示されている。なお、このようなシーリングアダプタ子機１００−ａとしては、例えば、図５（ｂ）に示すように、電力線搬送通信内容により負荷２００（照明機器２００−ａ）を制御する電力線搬送通信回路２と、親機５０からの命令を受けた電力線搬送通信回路２の命令により照明機器２００−ａのオンオフを切り替えるリレー３と、電力線搬送通信回路２からの命令に従いリレー３の開閉を制御する制御回路４とを備え、図５（ｃ）に示すように、住宅の天井に設けられた電源供給部１５０と照明機器２００−ａとの間に両者を電気的に接続するように設けられたものを挙げることができる。なお、照明機器２００−ａは、例えば外枠２０１と電球ソケット２０２とこの電球ソケット２０２に装着する電球２０３とシーリング取り付け部２０４とを備えている。
【特許文献１】特開昭６２−４００３３号公報
【発明の開示】
【発明が解決しようとする課題】
【０００４】
ところが、上述のような従来の電力線搬送通信システムにおいては、シーリングアダプタ子機は、住宅の天井等に電源供給部を新設するような場合には好適であるが、例えば天井に既設の正負電極端子を有した電球ねじ込みソケットが設けられており、このソケットに口金を備えた電球のような天井直付け用照明機器を接続するような場合には用いることができないという問題点があった。
【０００５】
本発明は、上記従来技術の問題に鑑み、天井直付け用の既設の電球ねじ込みソケットを利用して、天井直付け用照明機器を電力線搬送通信システムに接続するための電力線搬送通信用アダプタを提供することを目的とする。
【課題を解決するための手段】
【０００６】
上述の目的を達成するために、本発明の請求項１に係る電力線搬送通信用アダプタは、商用電源に接続した電力線に重畳する搬送信号によって負荷である照明機器を監視、制御する電力線搬送通信システムに対して前記照明機器を接続するための電力線搬送通信用アダプタであって、前記照明機器が口金を備えた発光体であり、前記電力線搬送通信システムが発光体ねじ込みソケットを備えている場合に、前記発光体の口金と前記発光体ねじ込みソケットとに着脱自在に係合し電気的接続可能な着脱部を備えるとともに、内部に電力線搬送通信用の子機の機能を備えている。
【０００７】
また、本発明の請求項２に係る電力線搬送通信用アダプタは、請求項１に記載の電力線搬送通信用アダプタにおいて、前記着脱部は、前記発光体ねじ込みソケットと着脱自在に係合し電気的接続可能な口金及び端子を備えた第１接続部と、前記発光体の口金と着脱自在に係合し電気的接続可能な受金及び端子を備えた第２接続部とを備え、記電力線搬送通信用の子機の機能を前記第１接続部に設けている。
【０００８】
また、本発明の請求項３に係る電力線搬送通信用アダプタは、請求項１に記載の電力線搬送通信用アダプタにおいて、前記着脱部は、前記発光体ねじ込みソケットと着脱自在に係合し電気的接続可能な口金と、該口金の径より小さい径であり前記口金の内側に設けられ前記発光体の口金と着脱自在に係合し電気的接続可能な受金と、前記発光体の口金と前記発光体ねじ込みソケットとの間を電気的接続可能に結ぶ端子とを備え、前記発光体ねじ込みソケットの外周側に対して前記口金の先端部及び前記ソケットの先端部から延設され内部に前記電力線搬送通信用の子機の機能を有した外周部を設けている。
【発明の効果】
【０００９】
このような構成の電力線搬送通信用アダプタは、発光体ねじ込みソケットが電力線搬送通信システムを構成する電力線に接続されて設けられているような場合に、この発光体ねじ込みソケットと負荷である発光体の口金と着脱自在に係合して電気的に接続可能な着脱部を備え、内部に電力線搬送通信用の子機の機能を備えることで、ユーザーは簡単に電力線搬送通信システムを導入することができる。
【発明を実施するための最良の形態】
【００１０】
以下、本発明に係る実施形態を図面に基づいて説明する。なお、各図において、同一の符号を付した構成は、同一の構成であることを示し、その説明を省略する。
【００１１】
（第１実施形態）
本発明の第１実施形態を図１及び図２に基づいて説明する。図１は、本発明の第１実施形態に係る電力線搬送通信用アダプタ１を示す断面図（一部ブロック図も含む）である。また、図２は、天井直付け用の既設の電球ねじ込みソケット１０（以降、ランプソケット１０と称する。）を利用して電力線搬送通信システムに電球２０を接続した状態を示す説明図である。なお、電力線搬送通信システムについては、背景技術に示しているため、詳細な説明は省略する。
【００１２】
図２に示すように、電力線搬送通信システムを構成する電力線（不図示）に電気的に接続されたランプソケット１０が設けられいる住宅の天井に対し、電力線搬送通信用アダプタ１を介して、口金を備える例えば電球２０のような天井直付け用照明機器を取り付ける。なお、ランプソケット１０には、電球ねじ込み式用の受金１１と端子１２を備えている。
【００１３】
ここで、本実施形態においては、電力線搬送通信用アダプタ１は、図１及び図２に示すように、ランプソケット１０の受金１１と着脱自在に係合し電気的接続可能な口金５とランプソケット１０の端子１２と当接可能である端子６とを備えるとともに内部に子機の機能を備えた第１接続部１ａと、電球２０の端子２２と当接可能である端子８と電球２０の口金である端子２１と着脱自在に係合し電気的接続可能な受金であるソケット７とを内面に備える第２接続部１ｂとを有した構成である。
【００１４】
第１接続部１ａは、電力線搬送通信内容により負荷である電球２０を制御する電力線搬送通信回路２と、親機（不図示）からの命令を受けた電力線搬送通信回路２の命令により第２接続部１ｂに接続した電球２０のオンオフを切り替えるリレー３と、電力線搬送通信回路２からの命令に従いリレー３の開閉を制御する制御回路４とを備えた構成であり、電力線搬送通信システムにおける子機の機能を備えている。なお、本実施形態においては、電力線搬送通信回路２と制御回路４とを分離した構成を例示しているが、両回路が一体化した構成であってもよい。
【００１５】
ここで、第１接続部１ａの口金５と第２接続部１ｂのソケット７との接続は、図２に示すように、第１接続部１ａ内部に設けたリレー３を介して行い、また、第１接続部１ａの端子６と第２接続部１ｂの端子８との接続は、直接行う。なお、電力線搬送通信回路２と制御回路４とは、第１接続部１ａがランプソケット１０に電気的に接続された状態において常時電源供給されるよう第１接続部１ａの端子６と第１接続部１ａの口金５の間に電気的に接続する。
【００１６】
ここで、例えばユーザーが前述の電力線搬送通信システムに対して通常の口金式の電球２０を接続したい場合、まず電力線搬送通信用アダプタ１の第１接続部１ａを天井のランプソケット１０にねじ込んで、第２接続部１ｂのソケット７に電球２０の口金である端子２１をねじ込む。ユーザは、親機により電球２０を制御（例えばオンオフ制御）することができる。
【００１７】
本実施形態に係る電力線搬送通信用アダプタ１は、例えば電力線搬送通信システムを構成する電力線に接続されてランプソケット１０が天井に設けられているような場合に、このランプソケット１０と負荷である電球２０の口金とにそれぞれ着脱自在である第１接続部１ａと第２接続部１ｂを備えるとともに、第１接続部１ａの内部に電力線搬送通信用の子機の機能を備えることで、ユーザーは、簡単に電力線搬送通信システムを導入することができる。
【００１８】
なお、天井直付け用照明機器である電球２０は、外枠２３を備えた構成であってもよいし、外枠２３を備えない構成であってもいずれでもよい。
【００１９】
（第２実施形態）
次に、他の実施形態を、本発明の第２実施形態として図３及び図４に基づいて説明する。図３は、本発明の第２実施形態に係る電力線搬送通信用アダプタ１ｃを示す断面図（一部ブロック図も含む）である。また、図４は、ランプソケット１０を利用して電力線搬送通信システムに電球２０を接続した状態を示す説明図である。
【００２０】
第２実施形態においても、図４に示すように、第１実施形態と同様に、ランプソケット１０が設けられいる住宅の天井に対し、電力線搬送通信用アダプタ１ｃを介して、口金を備えた例えば電球２０のような天井直付け用照明機器を取り付ける。
【００２１】
ここで、本実施形態においては、電力線搬送通信用アダプタ１ｃは、図３及び図４に示すように、ランプソケット１０の端子１２と当接可能である端子１４と、ランプソケット１０の口金１１と着脱自在に係合し電気的接続可能な口金１５と、内周にはこの口金１５の径より小さく電球２０の口金と着脱自在に係合し電気的接続可能な受金であるソケット１６と、ランプソケット１０の外周側に対して口金１５の天井の反対側である先端部及びランプソケット１０の天井の反対側である先端部から延設された周囲部１７とを備え、周囲部１７の内部に電力線搬送通信用の子機の機能を設けた構成である。
【００２２】
なお、図３に示すように、周囲部１７は、ランプソケット１０に取り付けた後に空間Ａ内にランプソケット１０を囲いながらランプソケット１０の外周を取り囲むような例えばリング状の形状であり、この周囲部１７の内部には電力線搬送通信回路２と、リレー３と、制御回路４とを備えている。なお、図３において、電力線搬送通信回路２、制御回路４は、例えば、周囲部１７にリング状に配置されている。端子１４は、電球２０の口金とランプソケット１０との間を電気的接続可能に結ぶように、電力線搬送通信用アダプタ１ｃのソケット１６側に設けられている。
【００２３】
なお、本実施形態においては、既設のランプソケット１０の上下方向の高さを略同様に保ったままで電力線搬送通信用アダプタが接続される。
【００２４】
本実施形態に係る電力線搬送通信用アダプタ１ｃは、例えば電力線搬送通信システムを構成する電力線に接続されてランプソケット１０が天井に設けられているような場合にランプソケット１０の口金１１と着脱自在に係合し電気的接続可能である口金１５と、内周には電球２０の口金と着脱自在に係合し電気的接続可能であるソケット１６を備え、周囲部１７の内部に電力線搬送通信用の子機の機能を備えることで、アダプタ設置前後において略同様の照射状態や景観が得ながらも、ユーザ−は、簡単に電力線搬送通信システムを導入することができる。
【００２５】
なお、本実施形態においては、、電力線搬送通信用アダプタ１ｃのソケット１６にねじ込む電球の口金は、既設のランプソケット１０にねじ込み可能な口金サイズよりも径が小さくする必要がある。すなわち、本実施形態に用いる天井直付け式の電球２０は、その口金の直径を電力線搬送通信用アダプタ１ｃのソケット１６に係合し電気的接続可能なサイズである。
【００２６】
なお、第１実施形態及び第２実施形態においては、電力線搬送通信システムでは電力線搬送通信内容が親機により負荷である電球２０を制御する形態を例示しているが、電力線搬送通信内容は、制御の他に親機により例えば、オンの状態であるか、オフの状態であるか等といった負荷の状態を例えば遠隔から監視するような内容であってもよい。
【００２７】
また、第１実施形態及び第２実施形態においては、図１乃至図４に示した口金、受金、ソケットの山、溝の数や形状は、概略形状の一例を図示したものであり、係合必要な箇所が上述のように互いに係合することができでばどのような数であっても形状であってもよい。
【００２８】
また、第１実施形態及び第２実施形態においては、負荷は口金を有する電球２０を例示しているが、口金を備えた発光体であれば電球に限らず蛍光灯等種々の発光体であってもよい。
【図面の簡単な説明】
【００２９】
【図１】本発明の第１実施形態に係る電力線搬送通信用アダプタを示す断面図である。
【図２】本発明の第１実施形態に係る電力線搬送通信システムに天井直付け用照明機器を接続した状態を示す説明図である。
【図３】本発明の第２実施形態に係る電力線搬送通信用アダプタを示す断面図である。
【図４】本発明の第３実施形態に係る電力線搬送通信システムに天井直付け用照明機器を接続した状態を示す説明図である。
【図５】従来の電力線搬送通信システムを示す説明図である。
【符号の説明】
【００３０】
１、１ｃ  電力線搬送通信用アダプタ
１ａ、１ｂ  接続部
２  電力線搬送通信回路
３  リレー
４  制御回路
５、１１、１５  口金
６、８、１２、１４  端子
７、１６  ソケット
１０  ランプソケット
１１  受金
１７  周囲部
２０  電球
２１、２２  端子
【図１】
2005210405.tif 000003
【図２】
2005210405.tif 000004
【図３】
2005210405.tif 000005
【図４】
2005210405.tif 000006
【図５】
2005210405.tif 000007